(57)【要約】      （修正有）【課題】浴室とは別の部屋の換気を浴室換気装置によって行うものにおいて、当該別の部屋のフィルターが目詰まりしたことを報知することができる換気システムおよび浴室換気装置を提供する。【解決手段】浴室換気装置１を用いた換気システムである。当該換気システムは、浴室９１とは別の部屋の換気口９４に取り付けられた別室フィルター９５を備えている。浴室換気装置１は、運転時間を計測するタイマーと、タイマーによって計測された時間に目詰まり係数を乗ずる算出部と、算出部によって算出された数値を積算して実総運転時間を算出する積算部とを有している。目詰まり係数は、別室フィルター９５の単位面積当たりにおける空気の想定流量に応じて設定される。換気システムは、実総運転時間が所定の値を超えると報知を行う報知手段をさらに備えている。【選択図】図２
2015190635.tif 000002
【特許請求の範囲】
【請求項１】
浴室内の換気を行う浴室換気装置を用いた換気システムであって、
浴室とは別の部屋に設けられ、前記浴室換気装置にダクトを介して連通接続された換気口と、
前記換気口に取り付けられた別室フィルターと
を備え、
前記浴室換気装置は、
前記ダクトを通じた換気運転の運転時間を計測するタイマーと、
前記タイマーによって計測された時間に、単位面積当たりの前記別室フィルターを通る空気の想定流量に応じた目詰まり係数を乗ずる算出部と、
前記算出部によって算出された数値を積算して実総運転時間を算出する積算部と
を有し、
当該換気システムは、前記積算部によって算出された実総運転時間が所定の値を超えると、前記別室フィルターが目詰まりした旨の報知を行う報知手段をさらに備えている
ことを特徴とする換気システム。
【請求項２】
前記目詰まり係数が、前記浴室換気装置における前記ダクトを通じた換気運転の設定風量に応じて設定されている
ことを特徴とする請求項１記載の換気システム。
【請求項３】
前記目詰まり係数は、前記設定風量が大きいほど大きく設定されている
ことを特徴とする請求項２記載の換気システム。
【請求項４】
前記目詰まり係数が、前記別室フィルターの面積に応じて設定されている
ことを特徴とする請求項１〜３のいずれか一項に記載の換気システム。
【請求項５】
前記別の部屋は複数の部屋であり、
前記目詰まり係数は、前記別室フィルターの面積が小さいほど大きく設定されたものである
ことを特徴とする請求項４に記載の換気システム。
【請求項６】
前記目詰まり係数が、前記ダクトを基準ダクト相当長さに換算した値に応じて設定されている
ことを特徴とする請求項１〜５のいずれか一項に記載の換気システム。
【請求項７】
前記別の部屋は複数の部屋であり、
前記目詰まり係数が、前記ダクトを基準ダクト相当長さに換算した値が短いほど、大きく設定されたものである
ことを特徴とする請求項６に記載の換気システム。
【請求項８】
浴室内の換気を行う浴室換気装置であって、
浴室とは別の部屋の換気口に接続されるダクトが連通接続される吸入側接続口と、
吸入側接続口から空気を流入させる換気ファンと、
前記換気口に取り付けられた別室フィルターの目詰まりを判定する制御装置と、
この制御装置が前記別室フィルターが目詰まりしたと判定すると、前記別室フィルターが目詰まりした旨の報知を行う報知手段と
を備え、
前記制御装置は、
前記ダクトを通じた換気運転の運転時間を計測するタイマーと、
前記タイマーによって計測された時間に、単位面積当たりの前記別室フィルターを通る空気の想定流量に応じた目詰まり係数を乗ずる算出部と、
この算出部によって算出された数値を積算して実総運転時間を算出する積算部と、
この積算部によって算出された実総運転時間が、所定の値を超えたか否かを判定し、当該実総運転時間が所定の値を超えると、前記別室フィルターが目詰まりしたと判定する判定部と
を有している
ことを特徴とする浴室換気装置。
【請求項９】
前記目詰まり係数が、前記ダクトを通じた換気運転の設定風量に応じて設定されている
ことを特徴とする請求項８記載の浴室換気装置。
【請求項１０】
前記目詰まり係数は、前記設定風量が大きいほど大きく設定されている
ことを特徴とする請求項９記載の浴室換気装置。
【請求項１１】
前記目詰まり係数が、前記別室フィルターの面積に応じて設定されている
ことを特徴とする請求項８〜１０のいずれか一項に記載の浴室換気装置。
【請求項１２】
前記別の部屋は複数の部屋であり、
前記目詰まり係数は、前記別室フィルターの面積が小さいほど大きく設定されたものである
ことを特徴とする請求項１１に記載の浴室換気装置。
【請求項１３】
前記目詰まり係数が、前記ダクトを基準ダクト相当長さに換算した値に応じて設定されている
ことを特徴とする請求項８〜１２のいずれか一項に記載の浴室換気装置。
【請求項１４】
前記別の部屋は複数の部屋であり、
前記目詰まり係数が、前記ダクトを基準ダクト相当長さに換算した値が短いほど、大きく設定されたものである
ことを特徴とする請求項１３に記載の浴室換気装置。
【発明の詳細な説明】
【技術分野】
【０００１】
本発明は、浴室換気装置を用いた換気システム、および浴室換気装置に関する。
【背景技術】
【０００２】
特許文献１には、従来の浴室換気装置が開示されている。この特許文献１記載の浴室換気装置は、浴室の天井に取り付けられた排気装置である。この排気装置は、脱衣室の天井に設けられた換気口と、トイレの天井に設けられた換気口とに、排気ダクトを介して連通接続されている。
【０００３】
特許文献１記載の排気装置の内部にはファンが設けられている。排気装置は、ファンを駆動させることで、脱衣室内の空気やトイレ内の空気を、換気口を介して吸入し、家屋外に排出して換気することができる。
【先行技術文献】
【特許文献】
【０００４】
【特許文献１】特開２００４−３２５０４１号公報
【発明の概要】
【発明が解決しようとする課題】
【０００５】
ところで、一般に、各部屋の換気口にはフィルターが取り付けられている。このフィルターは、室内に浮遊する埃等を捕捉する。このため、フィルターは、排気装置が長期間、換気運転すると、埃が堆積して目詰まり等を起こしてしまうため、目詰まり等を起こす前に清掃することが必要である。
【０００６】
しかしながら、従来の浴室用の換気装置では、フィルターの清掃が必要か否かについては、フィルターの埃の堆積具合をユーザーが目視して判断するしかない。このため、ユーザーは、フィルターに埃が多く堆積しているにも拘わらず、フィルターの埃の堆積具合を確認するのを忘れて、そのまま長期間に亙って運転を続けてしまうことがあった。
【０００７】
本発明は、上記事情に鑑みてなされたものであり、その目的とするところは、浴室とは別の部屋の換気を浴室換気装置によって行うものにおいて、当該別の部屋のフィルターが目詰まりしたことを報知することができる換気システムおよび浴室換気装置を提供することにある。
【課題を解決するための手段】
【０００８】
請求項１に係る本発明の換気システムは、浴室内の換気を行う浴室換気装置を用いた換気システムであって、浴室とは別の部屋に設けられ、前記浴室換気装置にダクトを介して連通接続された換気口と、前記換気口に取り付けられた別室フィルターとを備え、前記浴室換気装置は、前記ダクトを通じた換気運転の運転時間を計測するタイマーと、前記タイマーによって計測された時間に、単位面積当たりの前記別室フィルターを通る空気の想定流量に応じた目詰まり係数を乗ずる算出部と、前記算出部によって算出された数値を積算して実総運転時間を算出する積算部とを有し、当該換気システムは、前記積算部によって算出された実総運転時間が所定の値を超えると、前記別室フィルターが目詰まりした旨の報知を行う報知手段をさらに備えていることを特徴とする。
【０００９】
このように、請求項１に係る発明は、単位面積当たりの前記別室フィルターを通る空気の想定流量に応じた目詰まり係数によって実総運転時間を算出し、これを用いて別室フィルターの目詰まりを判定する。このため本発明の換気システムによれば、浴室換気装置を用いて、別室フィルターの目詰まりを報知することができる上に、別室フィルターの目詰まりを精度よく報知することができる。
【００１０】
また請求項２に係る発明は、請求項１に係る発明において、前記目詰まり係数が、前記浴室換気装置における前記ダクトを通じた換気運転の設定風量に応じて設定されている。
【００１１】
このように、請求項２に係る発明は、フィルターの埃堆積量と関係の強い条件の一つである浴室換気装置の設定風量に応じて目詰まり係数が設定されている。このため、浴室とは別の部屋であっても、浴室換気装置を用いて別室フィルターの目詰まりを精度よく報知することができる。
【００１２】
また請求項３に係る発明は、請求項２に係る発明において、前記目詰まり係数は、前記設定風量が大きいほど大きく設定されている。
【００１３】
一般に、設定風量が大きいほど、単位面積当たりのフィルターを通る空気の流量が大きく、フィルターは埃によって目詰まりしやすい。このため、請求項３に係る発明によれば、浴室換気装置の設定風量が大きいほど目詰まり係数が大きく設定されることで、別室フィルターの目詰まりを精度よく報知することができる。
【００１４】
また請求項４に係る発明は、請求項１〜３のいずれか一項に係る発明において、前記目詰まり係数が、前記別室フィルターの面積に応じて設定されている。
【００１５】
このように、請求項４に係る発明は、フィルターの埃堆積量と関係の強い条件の一つである別室フィルターの面積に応じて目詰まり係数が設定されている。このため、浴室とは別の部屋であっても、浴室換気装置を用いて別室フィルターの目詰まりを精度よく報知することができる。
【００１６】
また請求項５に係る発明は、請求項４に係る発明において、前記別の部屋は複数の部屋であり、前記目詰まり係数は、前記別室フィルターの面積が小さいほど大きく設定されたものである。
【００１７】
一般に、フィルターの単位面積当たりの流量が大きいほど、埃が堆積しやすく目詰まりし易い。つまり、フィルターの面積が小さいほど、フィルターの単位面積当たりの流通空気の流量が大きくなって、目詰まりしやすくなる。このため、請求項５に係る発明によれば、目詰まり係数が別室フィルターの面積が小さいほど大きく設定されることで、別室フィルターの目詰まりを精度よく報知することができる。
【００１８】
また、請求項６に係る発明は、請求項１〜５のいずれか一項に係る発明において、前記目詰まり係数が、前記ダクトを基準ダクト相当長さに換算した値に応じて設定されている。
【００１９】
このように、請求項６に係る発明は、ダクト内で生じる圧力損失を考慮して目詰まり係数が設定される。一般に、圧力損失の程度によって、別室フィルターを通る空気の流量が変化する。ここで、ダクトを基準ダクト相当長さに換算した値は、ダクトの材質による圧力損失や、エルボによる圧力損失を考慮した値である。このため、ダクトを基準ダクト相当長さに換算した値を用いて目詰まり係数を決定することで、浴室とは別の部屋に取り付けられた別室フィルターであっても、浴室換気装置を用いて目詰まりを精度よく報知することができる。
【００２０】
また、請求項７に係る発明は、請求項６に係る発明において、前記別の部屋は複数の部屋であり、前記目詰まり係数が、前記ダクトを基準ダクト相当長さに換算した値が短いほど、大きく設定されたものである。
【００２１】
一般に、ダクト長さが短いほど、圧力損失が小さく、フィルターを通る空気の流量が大きくなる。このため、請求項７に係る発明によれば、目詰まり係数が、ダクトの基準ダクト相当長さに換算された値が短いほど大きく設定されることで、別室フィルターの目詰まりを精度よく報知することができる。
【００２２】
また、請求項８に係る本発明の浴室換気装置は、浴室内の換気を行う浴室換気装置であって、浴室とは別の部屋の換気口に接続されるダクトが連通接続される吸入側接続口と、吸入側接続口から空気を流入させる換気ファンと、前記換気口に取り付けられた別室フィルターの目詰まりを判定する制御装置と、この制御装置が前記別室フィルターが目詰まりしたと判定すると、前記別室フィルターが目詰まりした旨の報知を行う報知手段とを備え、前記制御装置は、前記ダクトを通じた換気運転の運転時間を計測するタイマーと、前記タイマーによって計測された時間に、単位面積当たりの前記別室フィルターを通る空気の想定流量に応じた目詰まり係数を乗ずる算出部と、この算出部によって算出された数値を積算して実総運転時間を算出する積算部と、この積算部によって算出された実総運転時間が、所定の値を超えたか否かを判定し、当該実総運転時間が所定の値を超えると、前記別室フィルターが目詰まりしたと判定する判定部とを有していることを特徴とする。
【００２３】
このように、請求項８に係る発明は、単位面積当たりの前記別室フィルターを通る空気の想定流量に応じた目詰まり係数によって実総運転時間を算出し、これを用いて別室フィルターの目詰まりを判定する。このため本発明の浴室換気装置によれば、別室フィルターの目詰まりを報知することができる上に、別室フィルターの目詰まりを精度よく報知することができる。
【００２４】
また、請求項９に係る発明は、請求項８に係る発明において、前記目詰まり係数が、前記ダクトを通じた換気運転の設定風量に応じて設定されている。
【００２５】
このように、請求項９に係る発明は、フィルターの埃堆積量と関係の強い条件の一つである浴室換気装置の設定風量に応じて目詰まり係数が設定されている。このため、本発明の浴室換気装置によれば、浴室とは別の部屋であっても、別室フィルターの目詰まりを精度よく報知することができる。
【００２６】
また、請求項１０に係る発明は、請求項９に係る発明において、前記目詰まり係数は、前記設定風量が大きいほど大きく設定されている。
【００２７】
一般に、設定風量が大きいほど、単位面積当たりのフィルターを通る空気の流量が大きく、フィルターは埃によって目詰まりしやすい。このため、請求項１０に係る発明によれば、設定風量が大きいほど目詰まり係数が大きく設定されることで、別室フィルターの目詰まりを精度よく報知することができる。
【００２８】
また、請求項１１に係る発明は、請求項８〜１０のいずれか一項に係る発明において、前記目詰まり係数が、前記別室フィルターの面積に応じて設定されている。
【００２９】
このように、請求項１１に係る発明は、フィルターの埃堆積量と関係の強い条件の一つである別室フィルターの面積に応じて目詰まり係数が設定されている。このため、本発明の浴室換気装置によれば、浴室とは別の部屋であっても、別室フィルターの目詰まりを精度よく報知することができる。
【００３０】
また、請求項１２に係る発明は、請求項１１に係る発明において、前記別の部屋は複数の部屋であり、前記目詰まり係数は、前記別室フィルターの面積が小さいほど大きく設定されたものである。
【００３１】
一般に、単位面積当たりのフィルターを通る流量が大きいほど、埃を捕捉しやすく目詰まりし易い。つまり、フィルターの面積が小さいほど、フィルターの単位面積当たりの流通空気の流量が大きくなって、目詰まりしやすくなる。このため、請求項１２に係る発明によれば、目詰まり係数が別室フィルターの面積が小さいほど大きく設定されることで、別室フィルターの目詰まりを精度よく報知することができる。
【００３２】
また、請求項１３に係る発明は、請求項８〜１２のいずれか一項に係る発明において、前記目詰まり係数が、前記ダクトを基準ダクト相当長さに換算した値に応じて設定されている。
【００３３】
このように、請求項１３に係る発明は、ダクト内で生じる圧力損失を考慮して目詰まり係数が設定される。一般に、圧力損失の程度によって、別室フィルターを通る空気の流量が変化する。ここで、ダクトを基準ダクト相当長さに換算した値は、ダクトの材質による圧力損失や、エルボによる圧力損失を考慮した値である。このため、ダクトを基準ダクト相当長さに換算した値を用いて目詰まり係数を決定することで、浴室とは別の部屋に取り付けられた別室フィルターであっても、目詰まりを精度よく報知することができる。
【００３４】
また、請求項１４に係る発明は、請求項１３に係る発明において、前記別の部屋は複数の部屋であり、前記目詰まり係数が、前記ダクトを基準ダクト相当長さに換算した値が短いほど、大きく設定されたものである。
【００３５】
一般に、ダクト長さが短いほど、圧力損失が小さく、フィルターを通る空気の流量が大きくなる。このため、請求項１４に係る発明によれば、目詰まり係数が、ダクトの基準ダクト相当長さに換算された値が短いほど大きく設定されることで、別室フィルターの目詰まりを精度よく報知することができる。
【発明の効果】
【００３６】
本発明の換気システムによれば、浴室換気装置によって浴室とは別の部屋の換気を行うものにおいて、当該別の部屋のフィルターが目詰まりしたことを報知することができる。
【００３７】
本発明の浴室換気装置によれば、浴室とは別の部屋の換気を行うことができ、さらに、当該別の部屋のフィルターが目詰まりしたことを報知することができる。
【図面の簡単な説明】
【００３８】
【図１】実施形態１の換気システムの斜視図である。
【図２】実施形態１の換気システムの概略断面図である。
【図３】実施形態１の浴室換気装置の斜視図である。
【図４】実施形態１の制御装置のブロック図である。
【図５】実施形態１の浴室換気装置のリモコンである。
【図６】実施形態１の浴室換気装置の動作を示すフローチャートである。
【図７】実施形態２の換気システムの概略断面図である。
【発明を実施するための形態】
【００３９】
以下、本発明の実施形態について添付図面に基づいて説明する。
【００４０】
本実施形態の換気システムは、図１に示すように、浴室換気装置１を用いて、浴室９１内の換気と、浴室９１とは別の部屋の換気とを行う。本実施形態の換気システムは、浴室９１とは別の部屋の換気として、２４時間換気運転モードを実行するものである。
【００４１】
ここで言う「浴室９１とは別の部屋」とは、例えば、脱衣室，トイレルーム，寝室，クローゼットルームが挙げられる。この「浴室９１とは別の部屋」は、単数の部屋であってもよいし、複数の部屋であってもよいが、本実施形態においては複数の部屋である。なお、本実施形態において、この別の部屋は、脱衣室９２およびトイレルーム９３であり、つまり、浴室換気装置１は、浴室９１に加えて、脱衣室９２およびトイレルーム９３の換気を行うことができる。
【００４２】
浴室換気装置１は、図２に示すように、浴室９１の天井に取り付けられる。浴室換気装置１は、浴室９１内の換気を行う浴室換気運転と、浴室９１内に温風を送りながら換気する乾燥運転と、浴室９１内に温風を送る暖房運転と、浴室９１内に常温の空気を送りながら換気する涼風運転とを行うことができる、いわゆる浴室暖房乾燥機である。さらに、本実施形態の浴室換気装置１は、２４時間換気運転を行うことができる。この２４時間換気運転は、脱衣室９２およびトイレルーム９３（つまり、浴室９１とは別の部屋）の換気を行う。
【００４３】
なお、本実施形態の浴室換気装置１は、２４時間換気運転を脱衣室９２およびトイレルーム９３と、浴室９１とで行うこともできるし、脱衣室９２およびトイレルーム９３では２４時間換気運転を行いながら、浴室９１では別の運転（例えば乾燥運転）を行うこともできる。
【００４４】
脱衣室９２には換気口９４が設けられている。この換気口９４は、脱衣室９２の天井に設けられている。換気口９４は、脱衣室９２の内外を貫通している。換気口９４には、この換気口９４を覆うようにしてフィルター（以下、別室フィルター９５）が取り付けられる。また、脱衣室９２の壁には、室外の空気を室内に取り込むための空気取り入れ口（図示せず）が設けられている。
【００４５】
トイレルーム９３には、図１に示すように、換気口９４が設けられている。この換気口９４は、トイレルーム９３の天井に設けられている。換気口９４は、トイレルーム９３の内外を貫通している。換気口９４には、この換気口９４を覆うようにしてフィルター（以下、別室フィルター９５）が取り付けられる（図２参照）。また、トイレルーム９３の壁には、室外の空気を室内に取り込むための空気取り入れ口（図示せず）が設けられている。
【００４６】
浴室換気装置１は、脱衣室９２の換気口９４にダクト７１を介して連通接続される。また、浴室換気装置１は、トイレルーム９３の換気口９４にダクト７１を介して連通接続される。
【００４７】
浴室換気装置１は、熱源機８に循環配管８１を介して接続されている。熱源機８は、循環配管８１内を流通する熱媒（例えば、水）を加熱する。熱源機８は、熱媒を浴室換気装置１との間で循環させ、これにより、浴室換気装置１に熱を与える。熱源機８は、浴室９１の外（詳しくは、家屋の外）に設置される。
【００４８】
浴室換気装置１は、図３に示すように、本体ユニット１１と、換気ユニット２とを備えている。換気ユニット２は、本体ユニット１１に隣り合って配置されている。本体ユニット１１の内部と換気ユニット２の内部とは互いに通じている。
【００４９】
本体ユニット１１は、図２，３に示すように、外郭部１２と、熱交換器１７と、循環ファン１８とを備えている。外郭部１２は、熱交換器１７や循環ファン１８を内部に収容する。外郭部１２は、下方に開口した（この開口を下開口という）本体ケーシング１３と、本体ケーシング１３の下開口を覆うように取り付けられたグリル板１４とを備えている。
【００５０】
グリル板１４は、天井に沿って浴室９１内に面するようにして取り付けられる。グリル板１４には、浴室９１内の空気を本体ケーシング１３内に取り込む流入口１５と、本体ケーシング１３内の空気を浴室９１内に吹き出す流出口１６とが設けられている。流入口１５には、フィルター９６が取り付けられている。
【００５１】
熱交換器１７は、熱源機８に接続されており、外郭部１２の内部に取り込まれた空気と熱交換して当該空気を加熱する。また、循環ファン１８は、浴室９１内の空気を流通させるものであり、流入口１５から浴室９１内の空気を流入させ、流出口１６から外郭部１２内の空気を流出させる。
【００５２】
換気ユニット２は、浴室９１，脱衣室９２，及びトイレルーム９３の換気を行うものであり、本体ユニット１１に並んで設けられている。換気ユニット２は、換気ケーシング２１と、この換気ケーシング２１内に収容された換気ファン２８とを備えている。換気ケーシング２１の内部は、本体ケーシング１３内に連通する。換気ケーシング２１は、吸入側接続口２２と、排出側接続口２５とを備えている。
【００５３】
吸入側接続口２２は、換気ケーシング２１の側壁を貫通している。吸入側接続口２２には、ダクト７１が連通接続される。吸入側接続口２２は、換気ファン２８の駆動により、ダクト７１内の空気を引き込む。
【００５４】
本実施形態の換気ユニット２は、吸入側接続口２２として、第１の接続口２３と、第２の接続口２４とを備えている。第１の接続口２３は、脱衣室９２内に連通する。また第２の接続口２４は、トイレルーム９３内に連通する。従って、換気ファン２８が駆動すると、換気ケーシング２１内に、第１の接続口２３を介して脱衣室９２内の空気が取り込まれ、第２の接続口２４を介してトイレルーム９３内の空気が取りこまれる。
【００５５】
排出側接続口２５は、換気ケーシング２１の側壁を貫通している。排出側接続口２５には、建物外部に通じる排気ダクト７２が連通接続される。換気ファン２８が駆動すると、換気ケーシング２１内の空気が、排出側接続口２５から排出され、排気ダクト７２を介して建物外部に排出される。
【００５６】
この吸入側接続口２２には、第１のダンパ２６が設けられる（つまり、第１の接続口２３と第２の接続口２４とのそれぞれに第１のダンパ２６が設けられている）。第１のダンパ２６は、吸入側接続口２２を開閉自在とさせる。また、換気ユニット２の内部と本体ユニット１１の内部とは連通口を介して連通しており、この連通口には第２のダンパ２７が設けられている。第２のダンパ２７は、連通口を開閉自在とするように駆動する。これら第１のダンパ２６と第２のダンパ２７は、いずれもモータによって開閉駆動するように構成されている。
【００５７】
浴室換気装置１は、制御装置３を備えている。制御装置３は、例えば、マイクロプロセッサを主構成要素とするマイコンによって構成される。制御装置３は、リモコン６との間で信号を双方向に送受信できるように構成されている。制御装置３は、リモコン６から入力された指令信号に従って、循環ファン１８・換気ファン２８や、熱源機８や、第１のダンパ２６および第２のダンパ２７を開閉させるモータ等の駆動を制御する。なお、リモコン６は、例えば脱衣室９２の壁等に取り付けられる。制御装置３は、図４に示すように、循環ファン１８や換気ファン２８や熱源機８等を駆動させて各運転モードを制御する運転制御部３１と、浴室９１・脱衣室９２・トイレルーム９３の各部屋の換気口９４のフィルター９５，９６の目詰まりを判定する目詰まり制御部４１とを備えている。
【００５８】
運転制御部３１は、風量設定部３２を有している。風量設定部３２は、換気ファン２８と循環ファン１８との風量制御を行う。風量設定部３２は、リモコン６から設定された風量値に応じて換気ファン２８および循環ファン１８の駆動を制御する。また、風量設定部３２は、運転モードごとに予め設定された風量値に従って循環ファン１８および換気ファン２８を制御する場合もある。なお、リモコン６から設定できる風量値は、例えば、段階的に設定可能となっている（例えば、３０[m3/h]，４０[m3/h]，５０[m3/h]，・・・のうちのいずれか１つが選択できる）。
【００５９】
運転制御部３１は、熱源機８，循環ファン１８，換気ファン２８を駆動制御することで、次のようにして、浴室換気運転モード・乾燥運転モード・暖房運転モード・涼風運転モード・２４時間換気運転モードを実行させる（図２参照）。
【００６０】
（浴室換気運転モード）
浴室換気運転は、浴室９１のみを換気する。リモコン６によって浴室換気運転モードが選択されると、運転制御部３１は、第１のダンパ２６を閉じ且つ第２のダンパ２７を開き、換気ファン２８を駆動させる。これによって、浴室換気装置１は、浴室９１内の空気を流入口１５を介して取りこみ、排出側接続口２５・排気ダクト７２を介して外部に排出する。
【００６１】
（乾燥運転モード）
乾燥運転は、浴室９１内に温風を送りながら、換気運転を行う。リモコン６によって乾燥運転モードが選択されると、運転制御部３１は、熱源機８を駆動させ、第１のダンパ２６を閉じ且つ第２のダンパ２７を開き、換気ファン２８および循環ファン１８を駆動させる。これによって、浴室換気装置１は、浴室９１内の空気を流入口１５を介して取りこみ、取り込んだ空気の一部を熱交換器１７によって加熱して浴室９１内に吹き出し、その他の一部を排出側接続口２５を介して外部に排出する。
【００６２】
（暖房運転）
暖房運転は、浴室９１内に温風を送りながら、浴室９１内の空気の循環を行う。リモコン６によって暖房運転モードが選択されると、運転制御部３１は、熱源機８を駆動させ、第２のダンパ２７を閉じて、循環ファン１８を駆動させる。これによって、浴室換気装置１は、浴室９１内の空気を流入口１５を介して取りこみ、取り込んだ空気を熱交換器１７によって加熱して浴室９１内に吹き出す。
【００６３】
（涼風運転）
涼風運転は、換気運転を行いながら、浴室９１内の空気を循環させる。リモコン６によって涼風運転モードが選択されると、運転制御部３１は、第１のダンパ２６を閉じ且つ第２のダンパ２７を開き、換気ファン２８および循環ファン１８を駆動させる。これによって、浴室換気装置１は、浴室９１内の空気を流入口１５を介して取りこみ、取り込んだ空気の一部をそのまま浴室９１内に吹き出し、その他の一部を排出側接続口２５を介して外部に排出する。
【００６４】
（２４時間換気運転モード）
２４時間換気運転は、脱衣室９２およびトイレルーム９３の換気運転を行う。このとき、これと同時に、浴室９１内の換気を行うこともできるし、別の運転を行うこともできる。リモコン６によって、浴室９１内換気を停止させた状態の２４時間換気運転モードが選択されると、運転制御部３１は、第１のダンパ２６を開き且つ第２のダンパ２７を閉じ、換気ファン２８を駆動させる。これによって、浴室換気装置１は、脱衣室９２内およびトイレルーム９３内の空気を吸入側接続口２２を介して取りこみ、この取り込んだ空気を排出側接続口２５を介して外部に排出する。
【００６５】
リモコン６によって、浴室９１内換気を同時に行う２４時間換気運転モードが選択されると、運転制御部３１は、第１のダンパ２６及び第２のダンパ２７を開いて、換気ファン２８を駆動させる。これによって、浴室換気装置１は、脱衣室９２内，トイレルーム９３内，および浴室９１内の空気を換気ユニット２内に取りこみ、この取り込んだ空気を排出側接続口２５を介して外部に排出する。
【００６６】
本実施形態の制御装置３は、図４に示すように、目詰まり制御部４１を備えている。この目詰まり制御部４１は、グリル板１４の流入口１５に設けられたフィルター９６だけでなく、脱衣室９２及びトイレルーム９３の換気口９４に設けられた別室フィルター９５の目詰まりを判定する。目詰まり制御部４１は、脱衣室９２とトイレルーム９３と浴室９１のいずれかのフィルター９５，９６が目詰まりした旨判定すると、後述するように、リモコン６に設けられた報知手段６１によって、そのフィルター９５，９６が目詰まりした旨の報知を行う。
【００６７】
目詰まり制御部４１は、タイマー４２と、目詰まり係数決定部４３と、算出部４４と、積算部４５と、判定部４６とを備えている。また、目詰まり制御部４１は、各種の係数が格納されたメモリ５１を備えている。
【００６８】
タイマー４２は、浴室換気装置１の運転時間を計測する。タイマー４２は、例えば、ダクト７１を通じた換気運転、つまり２４時間換気運転モードが実行されると、その運転時間を計測する。タイマー４２は、計測した時間の値（時間値）のデータを算出部４４に出力する。
【００６９】
算出部４４は、タイマー４２から入力された時間値に、目詰まり係数決定部４３から入力された目詰まり係数を乗じて実質運転時間を算出する。
【００７０】
ここで、目詰まり係数とは、単位面積当たりのフィルター（別室フィルター９５及びフィルタ９６）を通る空気の想定流量に応じて決定される係数である（下記の表１参照）。目詰まり係数は、各種運転における設定風量や、フィルター９５，９６の面積や、部屋の属性に応じて決められる。この係数は、数値が大きいほど、単位面積当たりのフィルターを通る空気の流量が多いと推定され、従って、フィルター９５，９６に埃が溜まって目詰まりし易いとされる。この目詰まり係数は、目詰まり係数決定部４３によって算出される。
【００７１】
目詰まり係数決定部４３は、メモリ５１に格納された各係数から目詰まり係数を算出する。メモリ５１は、設定風量係数メモリ５２と、フィルター面積係数メモリ５３と、風量分配係数メモリ５４と、属性係数メモリ５５とを備えている。本実施形態の目詰まり係数決定部４３は、設定風量と、設定風量の部屋ごとの割合（分配係数）と、フィルター面積と、部屋の属性とをパラメータにして、運転モードごとの目詰まり係数を決定する。
【００７２】
設定風量係数メモリ５２は、設定風量に応じて決められた係数（設定風量係数という）を記憶する。設定風量係数は、設定風量に関連付けられた状態で設定風量係数メモリ５２に記憶されている（表１参照）。
【００７３】
フィルター面積係数メモリ５３は、フィルター９５，９６の面積に応じて決められた係数（フィルター面積係数という）を記憶する。フィルター面積係数は、フィルター９５，９６の面積に応じて予め決められた係数であり、フィルター９５，９６の面積が小さいほど、大きく設定される。例えば６００cm2のフィルター９５を基準（＝１．０）とすると、１００cm2のフィルター９５については、係数を６．０とする。
【００７４】
風量分配係数メモリ５４は、換気ファン２８によって生じる風量の分配を考慮した係数（以下、風量分配係数）を記憶する。風量分配係数は、例えば、浴室９１と脱衣室９２とトイレルーム９３とを２４時間換気する場合には、浴室９１を０．５とし、脱衣室９２を０．２５とし、トイレルーム９３を０．２５とする。また、例えば、脱衣室９２とトイレルーム９３とを２４時間換気する場合には、脱衣室９２を０．５とし、トイレルーム９３を０．５とする。
【００７５】
属性係数メモリ５５は、部屋の属性に応じて決められた係数（属性係数）を記憶する。たとえば、浴室９１を基準（＝１．０）とすると、脱衣室９２は埃が舞いやすいので、係数を１．４とし、トイレルーム９３を浴室９１と同等の１．０とする。
【００７６】
目詰まり係数決定部４３は、風量設定部３２から循環ファン１８と換気ファン２８との設定風量が入力されると、設定風量係数メモリ５２からその風量に対応する設定風量係数を取得し、フィルター面積係数メモリ５３から予め設定された部屋ごとのフィルター面積係数を取得し、風量分配係数メモリ５４から分配係数を取得し、属性係数メモリ５５から予め設定された部屋の属性に応じた属性係数を取得する。そして、目詰まり係数決定部４３は、取得した設定風量係数，風量分配係数，フィルター面積係数，属性係数をそれぞれ乗じて、目詰まり係数を算出する。つまり、本実施形態の目詰まり係数は、（目詰まり係数）＝（設定風量係数）×（フィルター面積係数）×（分配係数）×（属性係数）である。表１には、この式に基づいて決定された目詰まり係数の一例を示す。
【００７７】
【表１】
2015190635.tif 000003
【００７８】
なお、表１において「風量」とは、各運転モードにおける浴室換気装置のフィルターを通る風量を表している。浴室換気運転時の風量は１８０[m3/h]であり、暖房運転時の風量は３９０[m3/h]であり、乾燥運転時と涼風運転時は４８０[m3/h]として設定されている。
【００７９】
目詰まり係数決定部４３は、目詰まり係数を算出すると、その目詰まり係数を算出部４４に出力する。
【００８０】
算出部４４は、目詰まり係数が入力されると、タイマー４２から入力された時間値に、目詰まり係数を乗じて実質運転時間を算出する。実質運転時間は、フィルター９５，９６の目詰まりのしやすさ又はしにくさを考慮して、運転時間を補正した時間値である。算出部４４は、実質運転時間を算出すると、その算出結果を積算部４５に出力する。
【００８１】
積算部４５は、算出部４４から実質運転時間のデータが入力されると、実質運転時間を積算して実総運転時間を算出する。実総運転時間は、リセットされた時点からの実質運転時間を積算した時間値である。積算部４５は、メモリ５１が備える積算時間格納部５７と連携しており、浴室換気装置１がＯＦＦされてもメモリ５１内に保持される。積算部４５は、実総運転時間を算出すると、実総運転時間のデータを判定部４６に出力する。
【００８２】
判定部４６は、積算部４５から実総運転時間のデータが入力されると、メモリ５１から所定の閾値を取得し、実総運転時間と所定の閾値とを比較する。メモリ５１は、閾値が記憶された閾値メモリ５６を備えている。閾値は、フィルター９５，９６が目詰まりを起こすと予想される実総運転時間の値であり、例えば５００時間に設定される。この閾値は、実験値から求められた値であり、およそ６ヵ月間の浴室換気装置１の使用を想定して決定されている。
【００８３】
判定部４６は、実総運転時間と所定の閾値とを比較し、実総運転時間が所定の閾値を超えた場合には、フィルター９５，９６が目詰まりしたと判定し、報知手段６１にその旨の信号を出力する。
【００８４】
報知手段６１は、フィルター９５，９６が目詰まりした旨の報知を行う。本実施形態の報知手段６１は、図５に示すように、リモコン６に設けられている。報知手段６１は、「フィルターサイン」と表記された下方に「浴室」「脱衣室」「トイレ」と表記され、「浴室」「脱衣室」「トイレ」の表記の左隣にＬＥＤ６２が並んで配置されて構成されている。報知手段６１は、例えば、判定部４６から、脱衣室９２のフィルター（別室フィルター９５）が目詰まりした旨の信号が入力されると、「脱衣室」の左隣のＬＥＤ６２を点灯させる。これにより、報知手段６１は、脱衣室９２の別室フィルター９６が目詰まりした旨の報知を行う。
【００８５】
なお、「フィルター９５，９６が目詰まりした旨の報知」は、例えば、フィルター９５，９６の清掃を促す旨の報知や、フィルター９５，９６の交換を促す旨の報知と、実質的に同義であり、これらを含む。また、報知手段６１は、ＬＥＤ６２の点灯によるものでなくてもよく、音による報知であっても、ディスプレイに表示させるものであってもよい。
【００８６】
浴室換気装置１には、実総運転時間をリセットするリセット手段６３が設けられている。リセット手段６３は、リモコン６に設けられており、「フィルターサインリセット」と表記されたボタンである。リセット手段６３は、「フィルターサインリセット」ボタンを押下することで、ＬＥＤ６２が点滅し、「浴室」「脱衣室」「トイレ」のいずれかが選択可能となる。この後、「浴室」「脱衣室」「トイレ」のいずれかを選択した上で、「フィルターサインリセット」ボタンを長押し（例えば、３秒以上）することで、選択されたフィルター９５，９６についての実総運転時間をリセットできる。このとき、リセット手段６３は、リセット信号を積算部４５に出力する。積算部４５は、リセット信号を受信すると、積算時間格納部５７に格納された実総運転時間を消去する。
【００８７】
図６には、本実施形態の浴室換気装置１の動作を説明するフローチャートが記載されている。以下、フローチャートに基づいて、浴室換気装置１の制御装置３の動作を説明する。
【００８８】
ユーザーがリモコン６を操作して運転をスタートすると、制御装置３は、運転モード開始の指令信号を取得する（Ｓ１）。制御装置３は、この指令信号から浴室換気運転・乾燥運転・暖房運転・涼風運転・２４時間換気運転のいずれの運転が指令されたのかを判断する。制御装置３は、２４時間換気運転の指令信号が入力された場合、リモコン６によって設定された換気ファン２８の設定風量を取得する（Ｓ２，Ｓ３）。また、浴室換気運転または涼風運転または乾燥運転の指令信号が入力された場合も、リモコン６によって設定された換気ファン２８の設定風量を取得する（Ｓ４，Ｓ３）。
【００８９】
制御装置３は、暖房運転または涼風運転または乾燥運転の指令信号が入力された場合（Ｓ５）、循環ファン１８の設定風量を取得する。なお、２４時間換気運転と同時に、暖房運転または乾燥運転が実行される場合もある。
【００９０】
制御装置３は、換気ファン２８と循環ファン１８との各設定風量を取得すると、設定風量係数と分配係数とフィルター面積係数と属性係数とをメモリ５１から取得して、各フィルター９５，９６における目詰まり係数を決定する（Ｓ７）。
【００９１】
制御装置３は、リモコン６によって指令された運転を開始させ、タイマー４２を起動する。制御装置３は、フィルター９５，９６ごとに実総運転時間を算出し（Ｓ８）、この実総運転時間が５００時間（所定の閾値）を超えたフィルター９５，９６が存在するか否かを判定する（Ｓ９）。制御装置３は、実総運転時間が５００時間を超えたフィルター９５，９６が存在する場合、そのフィルター９５，９６については目詰まりが生じやすい状態であると判断して、リモコン６の報知手段６１のうち、対応するフィルター９５，９６のＬＥＤ６２を点灯させる（Ｓ１０）。
【００９２】
次いで制御装置３は、リセット手段６３が操作されたか否かを判断し（Ｓ１１）、操作された場合には、選択されたフィルターサインの総運転時間をリセットし（Ｓ１２）、フィルターサインのＬＥＤ６２を消灯する（Ｓ１３）。
【００９３】
なお、実総運転時間が５００時間を超えていない場合や、フィルターサインのＬＥＤ６２を消灯した場合，あるいはリセット手段６３が操作されていない場合には、運転終了ボタンが押されたか否かを判断し（Ｓ１４）、運転終了の指令がある場合には、浴室換気装置１の停止処理を行う（Ｓ１５）。また、運転終了の指令がない場合には、フィルター９５，９６ごとの実総運転時間の算出・積算を実行する（Ｓ８）。
【００９４】
以上説明したように、本実施形態の換気システムは、浴室換気装置１を用いて換気を行うシステムである。この換気システムは、浴室９１とは別の部屋に設けられた換気口９４と、この換気口９４に取り付けられた別室フィルター９５とを備えている。換気口９４は、浴室換気装置１にダクト７１を介して連通接続されている。浴室換気装置１は、ダクト７１を通じた換気運転の運転時間を計測するタイマー４２と、タイマー４２によって計測された時間に目詰まり係数を乗ずる算出部４４と、算出部４４によって算出された数値を積算して実総運転時間を算出する積算部４５とを有している。そして、この換気システムは、積算部４５によって算出された実総運転時間が所定の値を超えると、別室フィルター９５が目詰まりした旨の報知を行う報知手段６１をさらに備えている。
【００９５】
ここで、目詰まり係数とは、単位面積当たりのフィルター９５，９６を通る空気の想定流量に応じて予め設定された数値である。
【００９６】
このため、本実施形態の換気システムによれば、浴室換気装置１を用いて、別室フィルター９５の目詰まりを報知することができる。しかも、目詰まり係数が、単位面積当たりのフィルター９５，９６を通る空気の想定流量に応じて設定されているため、フィルター９５，９６の目詰まりのタイミングを精度よく報知することができる。
【００９７】
また、本実施形態の目詰まり係数は、浴室換気装置１におけるダクト７１を通じた換気運転の設定風量に応じて設定されている。特に、本実施形態の目詰まり係数は、設定風量が大きいほど大きく設定されている。
【００９８】
このように、本実施形態の換気システムは、フィルター９５，９６の埃堆積量と関係の強い条件の一つである設定風量に応じて目詰まり係数を設定しているため、浴室９１とは別の部屋についても、浴室乾燥機１を用いて、別室フィルター９５の目詰まりのタイミングをより一層、精度よく報知することができる。
【００９９】
また、本実施形態の目詰まり係数は、別室フィルター９５の面積に応じて設定されている。特に、この目詰まり係数は、別室フィルター９５の面積が小さいほど大きく設定されたものである。
【０１００】
このように、本実施形態の換気システムは、フィルター９５，９６の埃堆積量と関係の強い条件の一つであるフィルター９５の面積に応じて目詰まり係数を定めている。
【０１０１】
ここで、一般に、フィルターの単位面積当たりの流量が大きいほど、埃が堆積しやすく目詰まりし易い。つまり、フィルターの面積が小さいほど、フィルターの単位面積当たりの流通空気の流量が大きくなって、目詰まりしやすくなる。
【０１０２】
このため、本実施形態の換気システムによれば、浴室９１とは別の部屋に取り付けられた別室フィルター９５についても、浴室乾燥機１を用いて、目詰まりのタイミングをより一層、精度よく報知することができる。
【０１０３】
なお、本実施形態の目詰まり係数は、設定風量係数と、風量分配係数と、フィルター面積係数と、属性係数との全てを乗ずることによって決定されたが、例えば、これらのうちの１つを選択して目詰まり係数としてもよいし、これらのうちの２つ以上を選択してこれらを乗じて決定してもよい。
【０１０４】
ところで、ダクト７１による圧力損失によっても、換気口９４から流入する室内空気の流量は変化する。すなわち、ダクト７１の長さやダクト７１の曲げ数やダクト７１の材質等によって、ダクト７１による圧力損失が変化し、これに伴って、換気口９４から流入する室内空気の流量も変化する。この結果、単位面積当たりの別室フィルター９５を通る空気の想定流量も変化する。
【０１０５】
つまり、ダクト７１を基準ダクト相当長さに換算した値（一般に、ＶＰφ１００を基準ダクトとし、これに相当する長さに換算する）に応じて決定された係数（以下、ダクト長さ係数という）を目詰まり係数として用いることで、別室フィルター９５の目詰まりのタイミングをより一層、精度よく報知することができるようになる。
【０１０６】
特に、目詰まり係数は、基準ダクト相当長さに換算した値が短いほど、大きく設定されることが好ましい（つまり、実施形態１においては、トイレルーム９３の別室フィルター９５よりも脱衣室９２の別室フィルター９５のほうが、ダクト長さ係数は大きく設定される）。
【０１０７】
もちろん、このダクト長さ係数を、実施形態１の目詰まり係数に乗じてもよいし、ダクト長さ係数だけを目詰まり係数として設定してもよい。
（実施形態２）
次に、実施形態２について図７に基づいて説明する。なお、本実施形態は実施形態１と大部分において同じであるため、同じ部分においては同符号を付して説明を省略し、主に異なる部分について説明する。
【０１０８】
本実施形態の換気システムは、浴室９１とは別の部屋として、脱衣室９２の換気を行うものである。つまり、実施形態１の換気システムの浴室換気装置１は、浴室９１に加えて脱衣室９２とトイレルーム９３とを換気可能であったが、本実施形態の換気システムの浴室換気装置１は、浴室９１に加えて脱衣室９２のみを換気可能とするものである。
【０１０９】
本実施形態の目詰まり係数は、実施形態１と同様、（目詰まり係数）＝（設定風量係数）×（分配係数）×（フィルター面積係数）×（属性係数）である。表２には、この式に基づいて決定された目詰まり係数の一例を示す。
【０１１０】
【表２】
2015190635.tif 000004
【０１１１】
なお、表２において「風量」とは、各運転モードにおける浴室換気装置のフィルターを通る風量を表している。浴室換気運転時の風量は１８０[m3/h]であり、暖房運転時の風量は３９０[m3/h]であり、乾燥運転時と涼風運転時は４８０[m3/h]として設定されている。
【０１１２】
本実施形態の目詰まり係数は、実施形態１の目詰まり係数に比べて、風量分配係数が異なることに伴い、数値が相違している。
【０１１３】
このように、本実施形態の換気システムは、浴室９１とは別の部屋として、脱衣室９２のみを換気するものであったが、脱衣室９２に代えてトイレルーム９３を換気するものであってもよい。また、脱衣室９２に代えてさらに別の部屋（例えば、寝室）を換気するものであってもよい。
【０１１４】
なお、実施形態１，２の換気システムは、報知手段６１が浴室換気装置１のリモコン６に設けられていたが、本発明において報知手段６１は、浴室換気装置１に設けられていなくてもよい。また、本実施形態の換気システムは、フィルター９５，９６が目詰まりしたと判定する判定部４６が、浴室換気装置１の制御装置３に設けられていたが、実総運転時間の積算までは制御装置３で実行し、フィルター９５，９６が目詰まりしたと判定するのを浴室換気装置１とは別の装置によって実行してもよい。例えば、報知手段６１としての報知装置に判定部４６が設けられてもよい。
【符号の説明】
【０１１５】
１      浴室換気装置
１１    本体ユニット
１５    流入口
１６    流出口
１７    熱交換器
１８    循環ファン
２      換気ユニット
２２    吸入側接続口
２３    第１の接続口
２４    第２の接続口
２５    排出側接続口
２６    第１のダンパ
２７    第２のダンパ
２８    換気ファン
３      制御装置
３１    運転制御部
３２    風量設定部
４１    目詰まり制御部
４２    タイマー
４３    目詰まり係数決定部
４４    算出部
４５    積算部
４６    判定部
５１    メモリ
５２    設定風量係数メモリ
５３    フィルター面積係数メモリ
５４    風量分配係数メモリ
５５    属性係数メモリ
５６    閾値メモリ
５７    積算時間格納部
６      リモコン
６１    報知手段
６３    リセット手段
７１    ダクト
７２    排気ダクト
８      熱源機
９１    浴室
９２    脱衣室
９３    トイレルーム
９４    換気口
９５    別室フィルター
９６    浴室のフィルター
【図１】
2015190635.tif 000005
【図２】
2015190635.tif 000006
【図３】
2015190635.tif 000007
【図４】
2015190635.tif 000008
【図５】
2015190635.tif 000009
【図６】
2015190635.tif 000010
【図７】
2015190635.tif 000011